(57)【特許請求の範囲】
【請求項１】
入力操作用マークおよび／または出力データを示す入出力画面をモニタに表示するように構成された電子式装置の操作説明を表示する方法であって、前記電子式装置は、測定信号を出力する測定部と、この測定部を制御するとともに測定信号を処理して出力データを送出する制御処理部とを備え、制御処理部が、入力操作用マークおよび／または出力データを示す入出力画面をモニタに表示し、測定部の調整操作を説明するための予め作成された調整操作説明用動画（説明動画）と、説明動画における調整操作と対応する画面であって、調整操作中の測定部から刻々の調整状態に対応する当該測定部の実出力データを表示する入出力画面と、この入出力画面と同一的画面構成であって選択すべき入力操作用マークおよび／または測定部が適切に調整操作された場合の模範出力データの教示をおこなう案内画面との３者を同時にモニタに表示するよう構成されていることを特徴とする操作説明の表示方法。
【請求項２】
請求項１に記載の操作説明の表示方法において、説明動画および案内画面による操作説明に連携して、音声による操作説明を適時に加えるよう構成されている操作説明の表示方法。
【請求項３】
測定信号を出力する測定部と、この測定部を制御するとともに測定信号を処理して出力データを送出する制御処理部とを備え、制御処理部が、入力操作用マークおよび／または出力データを示す入出力画面をモニタに表示する入出力画面表示手段を具備する測定装置において、制御処理部は、測定部の調整操作を説明するための予め作成された調整操作説明用動画（説明動画）をモニタに表示する動画表示手段と、入出力画面と同一的画面構成であって選択すべき入力操作用マークおよび／または測定部が適切に調整操作された場合の模範出力データの教示をおこなう案内画面をモニタに表示する案内画面表示手段を備えているとともに、説明動画および案内画面と、説明動画における調整操作と対応する画面であって、調整操作中の測定部から刻々の調整状態に対応する当該測定部の実出力データを表示する入出力画面の３者を同時にモニタに表示するよう構成されていることを特徴とする測定装置。
【請求項４】
請求項３に記載の測定装置において、制御処理部が、説明動画あるいは案内画面と連携した音声による操作説明を適時に出力する音声出力手段を備えている測定装置。
【発明の詳細な説明】
【０００１】
【発明の属する技術分野】
この発明は、電子式装置の操作説明の表示方法、及び、これを用いた測定装置に関するものであり、操作説明を分かり易いかたちで表示するための技術に関する。
【０００２】
【従来の技術】
最近の測定装置は、測定信号を出力する測定部と、この測定部を制御するとともに測定信号を処理して出力データを送出する制御処理部とを備え、この制御処理部が、入力操作用マークおよび／または出力データを示す入出力画面を表示する入出力画面表示手段を具備し、操作者（オペレータ）は入出力画面を見ながら、キーボードやマウスで画面入力操作を行ったり、測定部に対する調整操作を行ったりする構成になっている。
当然、測定装置には操作説明用のマニュアルが添えられている。操作説明用のマニュアルとしては、操作方法を解説した文章やイラストが紙に印刷されている分厚いペーパーマニュアル、あるいは、操作説明用の静止画およびその解説文がモニタの画面に映し出されるオンラインマニュアルがある。昨今は、いわゆるウインドウの重畳画面表示を利用したヘルプ等と通称されるオンラインマニュアルも出現している。
【０００３】
【発明が解決しようとする課題】
ただ、分厚いペーパーマニュアルによる操作説明が分かり難いものであることは周知のことである。また、操作が複雑化している今の測定装置の場合、ウインドウの重畳画面表示を利用したオンラインマニュアルによる操作説明も、画面構成が複雑化することから、分かり易い説明とは決して言えないものである。
【０００４】
この発明は、上記事情に鑑み、電子式装置の操作説明が分かり易いかたちで示される操作説明の表示方法を提供することを第１の課題とし、この操作説明の表示方法を用いた測定装置を提供することを第２の課題とする。
【０００５】
【課題を解決するための手段】
上記第１の課題を達成するため、請求項１の発明の操作説明の表示方法は、入力操作用マークおよび／または出力データを示す入出力画面をモニタに表示するように構成された電子式装置の操作説明を表示する方法であって、前記電子式装置は、測定信号を出力する測定部と、この測定部を制御するとともに測定信号を処理して出力データを送出する制御処理部とを備え、制御処理部が、入力操作用マークおよび／または出力データを示す入出力画面をモニタに表示し、測定部の調整操作を説明するための予め作成された調整操作説明用動画（説明動画）と、説明動画における調整操作と対応する画面であって、調整操作中の測定部から刻々の調整状態に対応する当該測定部の実出力データを表示する入出力画面と、この入出力画面と同一的画面構成であって選択すべき入力操作用マークおよび／または測定部が適切に調整操作された場合の模範出力データの教示をおこなう案内画面との３者を同時にモニタに表示するよう構成されている。
【０００６】
また、請求項２の発明は、請求項１に記載の操作説明の表示方法において、説明動画および案内画面による操作説明に連携して、音声による操作説明を適時に加えるよう構成されている。
【０００７】
さらに、上記第２の課題を達成するため、請求項３の発明の測定装置は、測定信号を出力する測定部と、この測定部を制御するとともに測定信号を処理して出力データを送出する制御処理部とを備え、制御処理部が、入力操作用マークおよび／または出力データを示す入出力画面をモニタに表示する入出力画面表示手段を具備する測定装置において、制御処理部は、測定部の調整操作を説明するための予め作成された調整操作説明用動画（説明動画）をモニタに表示する動画表示手段と、入出力画面と同一的画面構成であって選択すべき入力操作用マークおよび／または測定部が適切に調整操作された場合の模範出力データの教示をおこなう案内画面をモニタに表示する案内画面表示手段を備えているとともに、説明動画および案内画面と、説明動画における調整操作と対応する画面であって、調整操作中の測定部から刻々の調整状態に対応する当該測定部の実出力データを表示する入出力画面の３者を同時にモニタに表示するよう構成されている。
【０００８】
また、請求項４の発明は、請求項３に記載の測定装置において、制御処理部が、説明動画あるいは案内画面と連携した音声による操作説明を適時に出力する音声出力手段を備えている。
【０００９】
〔作用〕
次に、この発明の方法ないし装置により操作説明を表示する際の作用について説明する。
請求項１に係る発明の方法により、電子式装置の操作説明の表示をおこなう場合、予め作成された操作説明用動画（説明動画）と、説明動画における操作と対応する入出力画面と、この入出力画面と同一的画面構成であって選択すべき入力操作用マークおよび／または模範出力データの教示をおこなう案内画面との３者を同時にモニタに表示する。
さらに、理解を容易にするために電子式装置としての測定装置の測定部における調整操作説明の場合として言えば、説明動画として調整操作の映像が映し出され、案内画面に適切に調整操作が行われた場合の模範出力データ（見本出力データ）が映し出されるとともに、調整操作中の測定部から刻々の調整状態に対応する実出力データが入出力画面に映し出される。操作者には、情報量の多い説明動画でもって操作状況が具体的に表示されるとともに、案内画面でもって選択すべき入力操作用マークや操作の目安となる模範出力データが分かり易く表示される。操作者は、説明動画と案内画面に従って必要な操作を間違いなく易々とおこなえることになる。
【００１０】
請求項２の発明の方法では、音声による操作説明が、説明動画および案内画面による操作説明に適時に加わる。具体的には、説明動画および案内画面の表示内容の補足説明が音声で表示される。
【００１１】
請求項３の発明の装置では、請求項１の発明の方法の実施により測定装置の操作説明が表示される。
【００１２】
請求項４の発明の装置では、請求項２の発明の方法の実施により測定装置の操作説明が表示される。
【００１３】
【発明の実施の形態】
以下、この発明の操作説明の表示方法を用いた測定装置の実施例を図面を参照しながら説明する。図１は実施例に係る粒度分布測定装置の全体構成を示すブロック図、図２は実施例装置の測定部の要部構成を示す模式図である。図３は、実施例装置の前面外観を示す正面図である。
【００１４】
実施例装置は、レーザ回折・散乱法を利用する粒度分布測定装置であり、図１に示すように、測定信号を出力する測定部１と、この測定部１を制御するとともに測定信号を処理して様々な出力データを送出する制御処理部１０とからなる。測定部１では、図２に示すように、試料セル２の中の分散粒子群Ｓに対し、コリメータ３を介して平行レーザ光を照射するレーザ光源４と、分散粒子群Ｓからの回折／散乱光を検出するよう空間配置された光センサ５ａ〜５ｃとが設けられている。光センサ５ａはリングディテクタタイプの前方散乱・回折光検出用センサであり、検出面が集光レンズ６でリング状に結象する回折／散乱光象に対応してリング状ないし半リング状に分割されており、各分割区画が一つの光検出素子となる。また、光センサ５ｂは側方散乱光検出用センサであり、光センサ５ｃは、後方散乱光検出用センサである。光センサ５ａ〜５ｃで得られた測定信号は、信号増幅等されて測定部１から制御処理部１０へ送出されるとともに、測定部１あるいは制御処理部１０のどちらかでディジタル化される。光センサ５ａ〜５ｃの合計素子数（チャンネル数）は、数十個〜百個程度のものとなる。
【００１５】
制御処理部１０は、プログラムメモリ１２に格納されている制御プログラムに従って装置全体の動作をコントロールするとともに必要な演算処理をおこなうコンピュータ（ＣＰＵ）１１を備えている他、測定部１から入出力ＩＦ１３を介して受信する測定信号（光強度分布データ）を記憶する測定データメモリ１４を備えている。コンピュータ１１は測定データメモリ１４に記憶されている測定データを所定（周知）の演算アルゴリズムにより、例えば粒度分布データに換算する演算などを行う。なお、この粒度分布データは、測定対象の粒子径範囲（測定粒子径範囲）を複数の粒子径区間に区分け分割した時の各粒子径区間の粒子量を示すデータである。コンピュータ１１は、粒度分布データ以外に、例えば、光センサ５ａ〜５ｃの各チャンネル毎の測定信号強度をチャンネル順に示すデータを出力する。
コンピュータ１１で得られた粒度分布データなどの出力データは、ＴＶモニタ１５の画面にグラフ表示されたり、あるいは、プリンタ１６で用紙に印刷されたりして、出力される。
【００１６】
また、制御処理部１０は入力操作用ツールとしてのマウス１７およびキーボード１８を備えている他、入力操作用マークおよび／または出力データを示す入出力画面を表示する入出力画面表示手段を備えている。この入出力画面表示手段は、入力操作用マークや出力データを示す入出力画面を記憶する入出力画面メモリ１９を具備するとともに、コンピュータ１１により必要時に入出力画面メモリ１９から入出力画面が読み出されてＴＶモニタ１５の画面に表示される構成となっている。ＴＶモニタ１５の画面に表示された入出力画面の入力操作用マークに対しマウス１７およびキーボード１８により選択チェック（クリック）操作を行うことで画面入力が行える他、入出力画面の指示に従ってマウス１７やキーボード１８を使って必要なデータを入力する操作も行える。
【００１７】
さらに、実施例装置では、発明の特徴である操作説明の表示のための構成を備えている。すなわち、制御処理部１０は、予め作成された操作説明用動画（説明動画）を表示する動画表示手段と、入出力画面と同一的画面構成であって選択すべき入力操作用マークおよび／または模範出力データの教示をおこなう案内画面を表示する案内画面表示手段とを備えているとともに、説明動画と、説明動画における操作と対応する入出力画面および案内画面との３者が同時に表示されるよう構成されている。
動画表示手段は、操作説明用動画（説明動画）を記憶（録画）している説明動画メモリ２０を具備していて、コンピュータ１１により必要時に説明動画メモリ２０から説明動画が読み出されてＴＶモニタ１５の画面に表示される構成となっている。この説明動画は、実写映像に限られるものではなく、アニメーション映像などの模擬映像であってもよい。
【００１８】
案内画面表示手段は、選択すべき入力操作用マークや模範出力データの教示をおこなう案内画面を記憶する案内画面メモリ２１を具備するとともに、コンピュータ１１により必要時に案内画面メモリ２１から案内画面が読み出されてＴＶモニタ１５の画面に表示される構成となっている。
そして、制御処理部１０では、これらの説明動画と説明動画における操作と対応する入出力画面および案内画面の３者が、コンピュータ１１により１個のＴＶモニタ１５の画面の異なるエリアにそれぞれ同時表示されるようにも構成されている。つまり、説明動画と入出力画面および案内画面の３つがマルチ表示されるのである。
【００１９】
さらに、実施例装置の制御処理部１０は、説明動画あるいは案内画面と連携した音声による操作説明を出力する音声出力手段も備えている。すなわち、制御処理部１０の録音メモリ２２には、説明動画あるいは案内画面の画面と対応した説明が記憶（録音）されていて、コンピュータ１１は、説明動画や案内画面の進行状況に合わせて録音メモリ２２に記憶されている操作説明を読み出してスピーカ２３から出力する構成となっている。
【００２０】
次に、実施例の粒度分布測定装置の構成を、さらに具体的な操作説明の表示動作に即して説明する。ここで取り上げる操作説明は、レーザ光源４の光軸４ａをリングディテクタタイプの光センサ５ａの中心７に一致させる光軸合わせ操作についてのものである。
レーザ光の光軸合わせ操作を行う場合、試料セル２の中に空（または水を満たす）とともに、図３に示すように、測定部１の右端のカバー１ａを取り外して、図４に示すように、Ｘ方向調整用ツマミ２４とＹ方向調整用ツマミ２５を露出させる。そして、マウス１７ないしキーボード１８からスタート指令を入力し、光軸合わせ操作説明の表示を開始させる。
操作説明の表示が始まると、図５に示すように、ＴＶモニタ１５の画面には、説明動画３１と入出力画面３２および案内画面３３とが、マルチ表示される。
【００２１】
説明動画３１には操作者が調整用ツマミ２４，２５を動かしている状況が映し出される。入出力画面３２には、現光軸調整状態での光センサ５ａ〜５ｃの各チャンネル毎の測定信号強度を示す実測グラフ３２ａと、光軸４ａの現在位置を示す実測グラフ３２ｂと、光センサ５ａの中心に対する光軸４ａのズレを示す実測グラフ３２ｃが出力データとして映し出されるとともに、入力操作用マーク（アイコン）群３２ｄが画面右端に映し出される。入出力画面３２と同一的画面構成である案内画面３３には、適正調整状態での光センサ５ａ〜５ｃの各チャンネル毎の測定信号強度を教える模範グラフ３３ａと、光軸の適正位置を教える模範グラフ３３ｂと、光センサ５ａの中心からの光軸のズレのない状態を教える模範グラフ３３ｃが出力データとして映し出されるとともに、入出力画面３２と同様じ入力操作用マーク（アイコン）群３３ｄが画面右端に映し出される。
【００２２】
また、ＴＶ画面１５の中央には画面の進行をコントロールするアイコン群１５ａが表示されている。操作者は、アイコン群１５ａの適当なものをマウス１７等でクリックすることにより、必要に応じて説明動画３１を逆に戻したり、一時停止させたり、進行を早めたりさせられる構成となっている。勿論、説明動画３１の変化に応じて、残りの入出力画面３２および案内画面３３の二つの画面にも必要な変化が同期して起こることになる。
【００２３】
このような操作説明の表示が行われる中、操作者は、入出力画面３２および案内画面３３を比較しながら、説明動画３１と音声説明に従って調整用ツマミ２４，２５を動かすことになる。場合によっては、調整用ツマミ２４，２５の動かし方を教える音声説明も行われる。
また、入力操作用マーク群３２ｄに対する入力操作を行う必要がある時は、案内画面３３の入力操作用マーク群３３ｄの中の対応マークが強調表示されて操作者が入出力画面３２の入力操作用マーク３２ｄの中のクリックしなければならないマークを教える。場合によっては、該当入力操作用マークを教える音声説明も行われる。そして、最終的に、入出力画面３２の実測グラフ３２ａが、案内画面３３の模範グラフ３３ａと一致させれば、光軸合わせ操作は完了である。
このように、操作者は、説明動画３１と案内画面３３による分かり易い操作説明に従って、間違いなく容易に光軸合わせを実行することができる。
【００２４】
図５に示すＴＶモニタ１５の画面では、入出力画面３２および案内画面３３に、入力操作用マークと出力データの両方が映し出されていたが、操作の対象・内容によっては、入出力画面３２および案内画面３３に、入力操作用マークと出力データの片方だけが映し出される場合もある。また、上記の光軸調整以外に、通常の測定操作についても、同様に説明動画および案内画面を使った分かり易い操作説明の表示が行えることは言うまでもない。
【００２５】
この発明は上記実施の形態に限られることはなく、下記のように変形実施することができる。
（１）実施例装置の場合、説明動画３１、入出力画面３２および案内画面３３が１台のモニタの画面に同時表示される構成であったが、モニタが３台設置されていて、説明動画３１、入出力画面３２および案内画面３３がそれぞれ異なるモニタの画面に同時に表示される構成のものが変形例として挙げられる。
【００２６】
（２）上記の実施例では、電子式装置が測定装置であったが、この発明が適用される電子式装置は測定装置に限らない。例えば、ワードプロセッサなどの電子式装置が挙げられる。説明動画として、操作者がワープロを操作している録画が映し出され、入出力画面および案内画面として同じキーボードの映像が映し出される。そして、操作者は、説明動画や音声説明に従って、案内画面が強調表示等により教示する操作キーに対応する入出力画面の中のキーをマウス等で操作するようなことになる。このように、この発明はコンピュータにアプリケーションソフトウエアを搭載して実現される種々の電子式装置に適用可能である。
【００２７】
【発明の効果】
請求項１の操作説明の表示方法によれば、予め作成された操作説明用動画によって操作時の状況が分かり易く操作者に提示される上に、入出力画面における選択すべき入力操作用マークあるいは出力データの模範データが、案内画面によって教示される構成であるので、電子式装置の操作説明が非常に分かり易いかたちで示されることになる。
【００２８】
請求項２の操作説明の表示方法によれば、説明動画および案内画面による操作説明に音声による操作説明が随時に加わるので、電子式装置の操作説明が、より分かり易いかたちで示される。
【００２９】
請求項３の発明の測定装置によれば、請求項１の発明の方法が実施される結果、測定装置の操作説明が分かり易く示される。
【００３０】
請求項４の発明の測定装置によれば、請求項２の発明の方法が実施される結果、測定装置の操作説明が、より分かり易く示される。
【図面の簡単な説明】
【図１】実施例に係る粒度分布測定装置の全体構成を示すブロック図である。
【図２】実施例装置の測定部の要部構成を示す模式図である。
【図３】実施例装置の前面外観を示す正面図である。
【図４】実施例装置の前面外観を一部カバーを外した状態で示す正面図である。
【図５】実施例装置のＴＶモニタに表示された操作説明画面例を示す模式図である。
【符号の説明】
１      …測定部
１０      …制御処理部
１１      …コンピュータ
１５      …ＴＶモニタ
１９      …入出力画面メモリ
２０      …説明動画メモリ
２１      …案内画面メモリ
２２      …録音メモリ
２３      …スピーカ
３１      …説明動画
３２      …入出力画面
３３      …案内画面
【図１】
0003909394.tif 000002
【図２】
0003909394.tif 000003
【図３】
0003909394.tif 000004
【図４】
0003909394.tif 000005
【図５】
0003909394.tif 000006